(57)【要約】【課題】製造コストを低減し、かつ過剰な緊締によるカバー板の傾動不能を防止し得る連結手段を備えた床用目地カバー装置を提供する。【解決手段】水平受縁８ａに透孔９が形成された保持受枠７と、該保持受枠７の水平受縁８ａの下面に配設された螺子孔部材１０と、カバー板Ｃの一端に開口された挿通孔１２と、前記螺子孔部材１０の螺子孔１１に螺着される連結螺子１４とによって連結手段６を構成した。また、連結螺子１４の緊締時に雄螺子部１５ｂの先端が螺子孔１１の奥端に当接した状態で、径大頭部１５ａと挿通孔１２の内面との間に、所定の間隙１６が確保されているようにした。【選択図】図３
2011144590.tif 000002
【特許請求の範囲】
【請求項１】
隣接する建造物の床相互間の目地に差し渡されるカバー板の一端が、一方の床の側縁に連結手段を介して傾動可能に連結されるとともに、該カバー板の他端を自由端とし、該自由端が他方の床の側縁に摺動可能に乗載されてなる床用目地カバー装置において、
前記連結手段が、
一方の床の側縁に配設されて、目地の長手方向に沿って延在し、カバー板の一端が乗載される水平受縁に複数の透孔が目地の長手方向に沿って形成された保持受枠と、
該保持受枠の水平受縁の下面に配設され、前記各透孔に夫々連通する螺子孔を備えた複数の螺子孔部材と、
前記保持受枠の水平受縁に乗載されるカバー板の一端に、前記各透孔位置に一致させて上下方向に開口され、上部開口に比して内部が縮径された複数の挿通孔と、
各挿通孔に上方から挿通されて前記螺子孔部材の螺子孔に螺合される雄螺子部と、該雄螺子部の上部に連成された回動操作用の径大頭部とを備え、該径大頭部が前記挿通孔の内面と適宜の間隙を生じる状態で螺子孔部材に螺着される複数の連結螺子と
を備えてなり、
カバー板が傾動すると、連結螺子の径大頭部が挿通孔に当接してカバー板を離脱不能に保持するようにしたことを特徴とする床用目地カバー装置。
【請求項２】
螺子孔部材の螺子孔が盲端状に形成され、連結螺子の緊締時に雄螺子部の先端が螺子孔の奥端に当接した状態で、径大頭部と挿通孔の内面との間に所定の間隙が確保されていることを特徴とする請求項１記載の床用目地カバー装置。
【請求項３】
連結螺子の径大頭部の上面が平面状に形成され、かつ連結螺子の緊締時に、径大頭部の上面がカバー板の上面と略同一高さとなるように連結螺子の長さが設定されていることを特徴とする請求項１又は請求項２記載の床用目地カバー装置。
【請求項４】
保持受枠の水平受縁に乗載されるカバー板の一端の下部に、連結螺子が挿通される挿通孔が形成された嵩上げ板が配設され、該嵩上げ板の、カバー板の端部寄りに位置する下面に、下方からカバー板の端部方向に昇り勾配で傾斜する傾斜面が形成されていることを特徴とする請求項１乃至請求項３の何れか１項に記載の床用目地カバー装置。
【発明の詳細な説明】
【技術分野】
【０００１】
本発明は、隣接する建造物の床相互間の目地を覆う床用目地カバー装置に関する。
【背景技術】
【０００２】
緩衝機能を備えた免震装置によって下部が支持された建造物にあっては、地震時における水平方向の揺れが大きくなる傾向がある。このような免震構造の建造物の周囲には、隣接する人工地盤からなる建造物との間に比較的広幅の目地が形成されており、かかる免震構造の建造物の目地に好適に使用し得る床用目地カバー装置が、本願出願人によって既に提案されている（例えば、特許文献１参照）。
【０００３】
かかる床用目地カバー装置は、図６（Ａ）に示すように、建物としての建造物Ａの床ｆと、該床ｆに目地ｓを介して隣接する人工地盤としての建造物Ｂとの間に差し渡されて前記目地ｓを覆うカバー板Ｃの一端を、前記床ｆの側縁に連結手段ａを介して傾動可能に連結し、該カバー板Ｃの他端を自由端として、該自由端にその下面から外端上面に向けて傾斜する傾斜端縁ｂを設けるとともに、該傾斜端縁ｂの上部からカバー板Ｃの上面ｄと略面一となるようにして端部カバー板ｃを建造物Ｂ側に向けて突設する一方、前記建造物Ｂの側縁に、水平受縁ｅと、該水平受縁ｅの外端に前記傾斜端縁ｂと同方向に傾斜する傾斜受縁ｇとを備えた摺動受枠ｈを配設し、該摺動受枠ｈの水平受縁ｅ上に、前記カバー板Ｃの自由端を乗載するとともに、前記端部カバー板ｃの外端を建造物Ｂの床ｉ上に乗載し、該端部カバー板ｃによってカバー板Ｃの傾斜端縁ｂと摺動受枠ｈの傾斜受縁ｇ間に生じる作動空隙ｊの上方を遮蔽するように構成されている。
【０００４】
そして、地震時において、建造物Ａと、隣接する建造物Ｂとが近接する方向に相対変位すると、図６（Ｂ）に示すように、カバー板Ｃは、自由端に形成された傾斜端縁ｂが摺動受枠ｈの傾斜受縁ｇに沿ってずれ上がることに伴って、一端の連結手段ａを支点として傾動することにより、その相対変位から逃げることができるようになっている。
【０００５】
また、このような床用目地カバー装置にあって、カバー板Ｃを一枚の金属板で形成したものが本願出願人によって製作されている。これは、比較的厚肉の一枚の金属板をカバー板Ｃとしたものであって、該カバー板Ｃの一端を建造物Ａの床ｆの側縁に傾動可能に連結する従来の連結手段ａは、図７に示すように、カバー板Ｃの端部下面でカバー板Ｃの両側端部の近傍位置に、水平板部ｙに上下方向の挿通孔ｍが形成された断面Ｌ形の連結部材ｋを夫々設けるとともに、該連結部材ｋの側部にカバー板Ｃから垂設された支持板部ｖの下端を該連結部材ｋの水平板部ｙより下方に突出させる一方、建造物Ａの床ｆの側縁に目地ｓの長手方向に沿って配設された保持受枠ｎの水平受縁ｐにボルトからなる複数の螺子杆ｒを前記各連結部材ｋの挿通孔ｍの形成位置に対応させて夫々立設し、各螺子杆ｒを前記挿通孔ｍに夫々下方から遊嵌した状態でコイル状の圧縮バネｔを外嵌して、その上部に螺着した受圧ナットｕによって圧縮バネｔを適宜の圧縮状態に保持し、該圧縮バネｔの弾発力によって支持板部ｖの下端を水平受縁ｐに圧接させることにより、カバー板Ｃの一端を傾動可能に連結するようにしている。また、カバー板Ｃには、螺子杆ｒの上方に対応する位置に、圧縮バネｔの取付け及び受圧ナットｕの回動操作を可能とする操作口ｗが開口されており、該操作口ｗには遮蔽用のゴムキャップｘが着脱可能に嵌着されている。
【先行技術文献】
【特許文献】
【０００６】
【特許文献１】特開平１０−３１７５１６号公報
【発明の概要】
【発明が解決しようとする課題】
【０００７】
ところで、従来の連結手段ａは、部品点数が多く、構造が複雑で、組み付けに手間が掛かるため、製造コストが高いという問題点があった。
【０００８】
また、従来の連結手段ａにあっては、螺子杆ｒの上部に螺着される受圧ナットｕによって圧縮バネｔを適宜の圧縮状態に保持し、該圧縮バネｔを下方からさらに圧縮可能とする作動間隙ｚを受圧ナットｕと水平板部ｙ間に確保することによってカバー板Ｃが傾動可能になっているのであるが、受圧ナットｕは圧縮バネｔが適正に圧縮された状態となってもさらに回動可能であるため、施工時において、不慣れな作業員が受圧ナットｕを過剰に緊締してしまうと、圧縮バネｔが圧縮され過ぎて作動間隙ｚが無くなってしまい、その結果、カバー板Ｃが傾動不能な状態となってしまう。そして、この状態で地震時にカバー板Ｃの自由端が摺動受枠ｈの傾斜受縁ｇ（図６（Ｂ）参照）に乗り上げると、連結手段ａやカバー板Ｃが損壊してしまうという問題点があった。
【０００９】
本発明は、かかる問題点を解消するためになされたものであって、製造コストを低減し、かつ過剰な緊締によるカバー板の傾動不能を防止し得る連結手段を備えた床用目地カバー装置を提供することを目的とするものである。
【課題を解決するための手段】
【００１０】
本発明は、隣接する建造物の床相互間の目地に差し渡されるカバー板の一端が、一方の床の側縁に連結手段を介して傾動可能に連結されるとともに、該カバー板の他端を自由端とし、該自由端が他方の床の側縁に摺動可能に乗載されてなる床用目地カバー装置において、前記連結手段が、一方の床の側縁に配設されて、目地の長手方向に沿って延在し、カバー板の一端が乗載される水平受縁に複数の透孔が目地の長手方向に沿って形成された保持受枠と、該保持受枠の水平受縁の下面に配設され、前記各透孔に夫々連通する螺子孔を備えた複数の螺子孔部材と、前記保持受枠の水平受縁に乗載されるカバー板の一端に、前記各透孔位置に一致させて上下方向に開口され、上部開口に比して内部が縮径された複数の挿通孔と、各挿通孔に上方から挿通されて前記螺子孔部材の螺子孔に螺合される雄螺子部と、該雄螺子部の上部に連成された回動操作用の径大頭部とを備え、該径大頭部が前記挿通孔の内面と適宜の間隙を生じる状態で螺子孔部材に螺着される複数の連結螺子とを備えてなり、カバー板が傾動すると、連結螺子の径大頭部が挿通孔に当接してカバー板を離脱不能に保持するようにしたことを特徴とする床用目地カバー装置である。
【００１１】
前記床用目地カバー装置にあって、螺子孔部材の螺子孔が盲端状に形成され、連結螺子の緊締時に雄螺子部の先端が螺子孔の奥端に当接した状態で、径大頭部と挿通孔の内面との間に所定の間隙が確保されている構成が提案される。
【００１２】
また、連結螺子の径大頭部の上面が平面状に形成され、かつ連結螺子の緊締時に、径大頭部の上面がカバー板の上面と略同一高さとなるように連結螺子の長さが設定されている構成が提案される。
【００１３】
さらに、保持受枠の水平受縁に乗載されるカバー板の一端の下部に、連結螺子が挿通される挿通孔が形成された嵩上げ板が配設され、該嵩上げ板の、カバー板の端部寄りに位置する下面に、下方からカバー板の端部方向に昇り勾配で傾斜する傾斜面が形成されている構成が提案される。
【発明の効果】
【００１４】
本発明は、上述したように、カバー板の一端を一方の床の側縁に傾動可能に連結する連結手段が、水平受縁に透孔が形成された保持受枠と、該保持受枠の水平受縁の下面に配設された螺子孔部材と、一端に挿通孔が開口されたカバー板と、前記螺子孔部材に螺着される連結螺子とからなるものであるから、部品点数が従来構成に比して少なく、かつ構造が簡単であり、組み付けに手間が掛からないため、製造コストを低減させることができる。
【００１５】
この連結手段において、螺子孔部材の螺子孔が盲端状に形成され、連結螺子の緊締時に雄螺子部の先端が螺子孔の奥端に当接した状態で、径大頭部と挿通孔の内面との間に所定の間隙が確保されている構成にあっては、連結螺子の緊締時に、径大頭部と挿通孔の内面との間の間隔確保を容易に、かつ安定的に得ることができる。これにより、施工時において、作業員が連結螺子を雄螺子部の先端が螺子孔の奥端に当接するまで回動させると、それ以上の回動ができなくなって連結螺子が緊締状態となり、この緊締状態で径大頭部と挿通孔の内面との間に所定の間隔が確保されていることによって、カバー板を傾動可能に連結する状態が得られる。このため、従来構成の問題点であったところの、過剰な緊締によるカバー板の傾動不能を防止することができる。
【００１６】
また、連結螺子の径大頭部の上面が平面状に形成され、かつ連結螺子の緊締時に、径大頭部の上面がカバー板の上面と略同一高さとなるように連結螺子の長さが設定されている構成にあっては、連結螺子を緊締すると、連結螺子の径大頭部の上面がカバー板の上面と略面一となって挿通孔を塞ぐ状態が得られる。これによって、従来構成のゴムキャップｘ（図７参照）を不要にすることができる。
【００１７】
さらに、保持受枠の水平受縁に乗載されるカバー板の一端の下部に、連結螺子が挿通される挿通孔が形成された嵩上げ板が配設され、該嵩上げ板の、カバー板の端部寄りに位置する下面に、下方からカバー板の端部方向に昇り勾配で傾斜する傾斜面が形成されている構成にあっては、該傾斜面の斜面下端を支点として、カバー板を円滑に傾動させることができる。
【図面の簡単な説明】
【００１８】
【図１】第一実施例にかかる床用目地カバー装置の施工状態を示す縦断正面図である。
【図２】複数個のカバー板Ｃを目地ｓに沿う方向に連続状に配設した状態を示す平面図である。
【図３】（Ａ）は要部の拡大断面図、（Ｂ）はその作用説明図である。
【図４】（Ａ）は第二実施例にかかる要部の拡大断面図、（Ｂ）はその作用説明図である。
【図５】（Ａ）は変形実施例にかかる要部の拡大断面図、（Ｂ）はその作用説明図である。
【図６】（Ａ）は従来構成の床用目地カバー装置の概略縦断正面図、（Ｂ）はその作用説明図である。
【図７】従来構成の連結手段ａの拡大断面図である。
【発明を実施するための形態】
【００１９】
本発明にかかる床用目地カバー装置の第一実施例を、図１〜図３に基づいて説明する。
【００２０】
図１において、Ａは緩衝機能を備えた免震装置（図示省略）によって下部が支持された免震構造の建造物、Ｂは該建造物Ａの周囲に形成された建造物であって、目地ｓを介して隣接している。目地ｓは、建造物Ａの周囲に沿って所定幅で形成され、地震時における建造物Ａと周囲の建造物Ｂとの水平方向の相対的な揺れを吸収し得るようになっている。尚、図１，図２に図示された建造物Ｂは、建造物Ａに目地ｓを介して対峙するように突設された建造物Ｂの狭幅の連絡通路部分である。
【００２１】
前記建造物Ｂの床ｆ2 の側縁には、図１に示すように、後述する弾性板５を備えたカバー板Ｃの厚みに相当する深さで窪ませた支持段縁１が、目地ｓの幅方向（図１において左右方向）に所定幅で形成されており、該支持段縁１上には水平受縁３ａの後端に床ｆ2 の上面に向けて上方傾斜する傾斜受縁３ｂを備えた摺動受枠２が配設されている。そして、該摺動受枠２の水平受縁３ａ上に弾性板５を下面に備えたカバー板Ｃを乗載すると、該カバー板Ｃの上面が床ｆ2 の上面と略面一となるようにしている。この摺動受枠２は目地ｓの長手方向（図１において前後方向）に延在するように配設されており、その長さは、図２に示すように、複数個のカバー板Ｃを配置し得る所定長さとなっている。
【００２２】
建造物Ａの床ｆ1 と建造物Ｂの床ｆ2 の間には、カバー板Ｃが差し渡され、目地ｓを覆っている。該カバー板Ｃは、目地ｓの長手方向に複数個が連続状に配設されるものであって（図２参照）、各カバー板Ｃは、図１に示すように、その一端が建造物Ａの床ｆ1 の側縁に、後述する連結手段６を介して傾動可能に連結されている。各カバー板Ｃの他端は自由端となっており、該自由端が上述した建造物Ｂの床ｆ2 の側縁に配設された摺動受枠２の水平受縁３ａ上に摺動可能に乗載されている。各カバー板Ｃは、地震時に、建造物Ａと、隣接する建造物Ｂとが近接する方向に相対変位すると、自由端が摺動受枠２の傾斜受縁３ｂに沿ってずれ上がり、傾動するようになっている（図６（Ｂ）参照）。
【００２３】
各カバー板Ｃは、適宜の厚みのステンレス鋼板（SUS304）からなる金属板を素材に用いて矩形状に形成されており、その上面には滑り止め用の無数の凹凸部４が設けられている。前記摺動受枠２の水平受縁３ａ上に乗載されるカバー板Ｃの自由端の下面には、所定幅のブチルゴムからなる弾性板５が目地ｓの長手方向に配設されており、該弾性板５によって摺動受枠２に対する緩衝作用を得るようにしている。
【００２４】
次に、本発明の要部にかかる連結手段６について説明する。
建造物Ａの床ｆ1 の側縁上には、目地ｓの長手方向に延在するようにして保持受枠７が配設されている。該保持受枠７は、図３に示すように、水平受縁８ａと該水平受縁８ａの外端から斜め外方に立ち上がる傾斜縁８ｂとを備えており、水平受縁８ａには、目地ｓの長手方向に沿って複数の透孔９が所定間隔で形成されている（図２参照）。また、水平受縁８ａの下面には、前記各透孔９の下部位置に螺子孔部材１０が夫々配設されている。各螺子孔部材１０は、その内部の螺子孔１１を前記透孔９に連通させた状態で溶接により水平受縁８ａの下面に接合されている。ここで、各螺子孔部材１０の螺子孔１１は盲端状に形成されており、螺子孔部材１０に袋ナットを用いることによって、螺子孔１１を容易に盲端状とすることができる。尚、該螺子孔部材１０は、袋ナットに代えて長ナットを用いることも可能であり、この場合には、長ナットの下部に板材を溶接することによって螺子孔の下端が塞がれる。
【００２５】
一方、前記保持受枠７の水平受縁８ａに乗載されるカバー板Ｃの一端には、前記各透孔９の形成位置に一致させて複数の挿通孔１２が上下方向に開口されている。各挿通孔１２は、カバー板Ｃの一端と該カバー板Ｃの一端の下部に接合された嵩上げ板１３とに亘って形成されており、上部開口に比して内部が縮径されている。ここで、この第一実施例では、カバー板Ｃの孔部１２ａに比して嵩上げ板１３の孔部１２ｂを小径に形成することにより、各挿通孔１２の内部を上部開口に比して縮径するようにしている。尚、嵩上げ板１３は、カバー板Ｃの厚みが薄い場合に、該カバー板Ｃの下面に溶接することによって部分的配設されるが、所定形状の挿通孔１２を形成するに足る厚みがカバー板Ｃにある場合には、嵩上げ板１３は不要となる。また、この各嵩上げ板１３間には、カバー板Ｃの下面に嵩上げ板１３と同一厚みのブチルゴムからなる緩衝用の弾性板１９（図２参照）が目地ｓの長手方向に配設される。
【００２６】
前記カバー板Ｃの各挿通孔１２には連結螺子１４が上方から夫々挿通され、各連結螺子１４の雄螺子部１５ｂが前記保持受枠７に配設された各螺子孔部材１０の螺子孔１１に螺合される。各連結螺子１４は、雄螺子部１５ｂの上部に回動操作用の径大頭部１５ａが連成されており、該径大頭部１５ａが前記挿通孔１２の内面と適宜の間隙１６を生じる状態で螺子孔部材１０に螺着されている。ここで、螺子孔部材１０の螺子孔１１が盲端状に形成されていることにより、連結螺子１４を雄螺子部１５ｂの先端が螺子孔１１の奥端に当接するまで緊締すると、径大頭部１５ａと挿通孔１２の内面との間に所定の間隙１６が確保されるようにしている。
【００２７】
また、各連結螺子１４の径大頭部１５ａの上面は平面状に形成され、かつ連結螺子１４の緊締時に、径大頭部１５ａの上面がカバー板Ｃの上面と略同一高さとなるように連結螺子１４の長さが設定されている。これにより、連結螺子１４を緊締すると、径大頭部１５ａの上面がカバー板Ｃの上面と略面一となって挿通孔１２を塞ぐ状態が得られ、従来構成のゴムキャップｘ（図７参照）を不要にすることができるようにしている。
【００２８】
そして、上述した水平受縁８ａに透孔９が形成された保持受枠７と、該保持受枠７の水平受縁８ａの下面に配設された螺子孔部材１０と、カバー板Ｃの一端に開口された挿通孔１２と、前記螺子孔部材１０の螺子孔１１に螺着される連結螺子１４とによって、カバー板Ｃの一端を一方の床ｆ1 の側縁に傾動可能に連結する連結手段６が構成されている。
【００２９】
また、カバー板Ｃの一端の下部に配設された前記嵩上げ板１３には、カバー板Ｃの端部寄りに位置する下面に、下方からカバー板Ｃの端部方向に昇り勾配で傾斜する傾斜面１７が形成されており、該傾斜面１７の斜面下端１８を支点として、カバー板Ｃを円滑に傾動させることができるようにしている。
【００３０】
その他、図１，図２において、符号２０は摺動受枠２と保持受枠７に設けられた複数のアンカーを示す。
【００３１】
かかる構成にあって、図３（Ａ）に示すように、カバー板Ｃの一端を、連結手段６を介して一方の床ｆ1 の側縁に連結した状態において、建造物Ａと建造物Ｂ（図１参照）とが近接する方向に相対変位して、カバー板Ｃの自由端が摺動受枠２の傾斜受縁３ｂに沿ってずれ上がり、カバー板Ｃが嵩上げ板１３の斜面下端１８を支点として傾動すると、図３（Ｂ）に示すように、連結螺子１４の径大頭部１５ａが挿通孔１２の内面に当接するため、カバー板Ｃの一端が離脱不能に保持される。これにより、カバー板Ｃの一端を一方の床ｆ1 の側縁に傾動可能に連結することができる。
【００３２】
そして、本発明によれば、前記連結手段６が、水平受縁８ａに透孔９が形成された保持受枠７と、該保持受枠７の水平受縁８ａの下面に配設された螺子孔部材１０と、一端に挿通孔１２が開口されたカバー板Ｃと、前記螺子孔部材１０の螺子孔１１に螺着される連結螺子１４とからなるものであるから、部品点数が従来構成に比して少なく、かつ構造が簡単であり、組み付けに手間が掛からないため、製造コストを低減させることができる。
【００３３】
特に前記連結手段６にあって、螺子孔部材１０の螺子孔１１を盲端状に形成し、連結螺子１４の緊締時に雄螺子部１５ｂの先端が螺子孔１１の奥端に当接した状態で、径大頭部１５ａと挿通孔１２の内面との間に所定の間隙１６が確保されるようにしたことにより、連結螺子１４の緊締時に、径大頭部１５ａと挿通孔１２の内面との間の間隔確保を容易に、かつ安定的に得ることができる。これにより、施工時において、作業員が連結螺子１４を雄螺子部１５ｂの先端が螺子孔１１の奥端に当接するまで回動させると、それ以上の回動ができなくなって連結螺子１４が緊締状態となり、この緊締状態で径大頭部１５ａと挿通孔１２の内面との間に所定の間隔が確保されることによって、カバー板Ｃを傾動可能に連結する状態が得られる。このため、従来構成の問題点であったところの、過剰な緊締によるカバー板Ｃの傾動不能を防止することができる。
【００３４】
図４は第二実施例を示し、この第二実施例は、挿通孔１２を円錐形に形成することにより、該挿通孔１２の内部を上部開口に比して縮径するようにしたものである。その他、第一実施例と共通する構成部分については、第一実施例と同一の符号を付して重複説明を省略する。かかる構成にあっても第一実施例と同じ作用効果を得ることができる。
【００３５】
尚、上記各実施例では、連結螺子１４として、径大頭部１５ａの側周面が円錐状に縮径する皿ボルトを用いているが、連結螺子１４は皿ボルトに限定されるものではなく、図５に示す変形実施例のように、径大頭部１５ａが略半球状に形成されたボタンボルトを用いることも可能である。
【符号の説明】
【００３６】
Ａ  建造物
Ｂ  建造物
Ｃ  カバー板
ｆ1  床
ｆ2  床
ｓ  目地
６  連結手段
７  保持受枠
８ａ  水平受縁
９  透孔
１０  螺子孔部材
１１  螺子孔
１２  挿通孔
１３  嵩上げ板
１４  連結螺子
１５ａ  径大頭部
１５ｂ  雄螺子部
１６  間隙
１７  傾斜面
【図１】
2011144590.tif 000003
【図２】
2011144590.tif 000004
【図３】
2011144590.tif 000005
【図４】
2011144590.tif 000006
【図５】
2011144590.tif 000007
【図６】
2011144590.tif 000008
【図７】
2011144590.tif 000009